【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
ポリマー組成物であって、
ポリエステル、
前記組成物の約０．０１〜約５重量パーセントの量のホウ素成分であって、酸化ホウ素、ホウ酸、アルカリ金属ホウ酸塩およびそれらの組み合わせからなる群から選択されるホウ素成分、および
前記ポリエステルのキログラム当たり約５〜５００ミリ当量の総エポキシ官能基を提供するのに十分な量のエポキシ成分
を含むことを特徴とする組成物。
【請求項２】
前記ホウ素成分が前記組成物の約０．０５〜約１重量パーセントを構成することを特徴とする請求項１に記載の組成物。
【請求項３】
前記ホウ素成分が前記組成物の約０．１〜０．５重量パーセントを構成することを特徴とする請求項１に記載の組成物。
【請求項４】
前記エポキシ成分が前記ポリエステルのキログラム当たり約１０〜３００ミリ当量の総エポキシ官能基を提供するのに十分な量を構成することを特徴とする請求項１に記載の組成物。
【請求項５】
前記エポキシ成分が前記ポリエステルのキログラム当たり約１５〜２００ミリ当量の総エポキシ官能基を提供するのに十分な量を構成することを特徴とする請求項１に記載の組成物。
【請求項６】
前記エポキシ成分が前記ポリエステルのキログラム当たり約２０〜１５０ミリ当量の総エポキシ官能基を提供するのに十分な量を構成することを特徴とする請求項１に記載の組成物。
【請求項７】
前記エポキシ成分が少なくとも１種のジフェノール・エポキシ縮合ポリマーまたは分子当たり少なくとも２個のエポキシ基を含む少なくとも１種のエポキシ化合物を含むことを特徴とする請求項１に記載の組成物。
【請求項８】
前記エポキシ成分が
（ｉ）ジフェノール・エポキシ縮合ポリマー、および
（ｉｉ）少なくとも１種のエポキシ化合物の分子当たり少なくとも２個のエポキシ基を含む少なくとも１種のエポキシ化合物
を含むエポキシ系を含むことを特徴とする請求項１に記載の組成物。
【請求項９】
前記ポリエステルがグリコールとジカルボン酸もしくはその反応性誘導体との少なくとも１種の線状飽和縮合生成物、またはコポリエーテルエステルを含むことを特徴とする請求項１に記載の組成物。
【請求項１０】
前記ポリエステルがコポリエーテルエステル、およびグリコールとジカルボン酸またはその反応性誘導体との少なくとも１種の線状飽和縮合生成物を含むことを特徴とする請求項１に記載の組成物。
【請求項１１】
前記コポリエーテルエステルが前記線状飽和縮合生成物よりも多い量で存在することを特徴とする請求項１０に記載の組成物。
【請求項１２】
前記ポリエステルがコポリエーテルエステルおよびポリブチレンテレフタレートを含むことを特徴とする請求項１０に記載の組成物。
【請求項１３】
前記ポリエステルがポリブチレンテレフタレートを含むことを特徴とする請求項１に記載の組成物。
【手続補正２】
【補正対象書類名】明細書
【補正対象項目名】００５４
【補正方法】変更
【補正の内容】
【００５４】
エポキシ成分は、組成物中の全ポリエステルのｋｇ当たり好ましくは約５〜５００ミリ当量（ＭＥＱ）、より好ましくは約１０〜３００ミリ当量（ＭＥＱ）、より好ましくは約１５〜２００ミリ当量（ＭＥＱ）、さらにより好ましくは約２０〜１５０ミリ当量（ＭＥＱ）の総エポキシ官能基（ｔｏｔａｌ  ｅｐｏｘｙ  ｆｕｎｃｔｉｏｎ）を提供するのに十分な量を構成する。
【手続補正３】
【補正対象書類名】明細書
【補正対象項目名】００６８
【補正方法】変更
【補正の内容】
【００６８】
好ましくは、エポキシ系は組成物中の全ポリエステルのｋｇ当たり約５〜５００ミリ当量（ＭＥＱ）の総エポキシ官能基を含む。
【手続補正４】
【補正対象書類名】明細書
【補正対象項目名】００６９
【補正方法】変更
【補正の内容】
【００６９】
より好ましくは、エポキシ系は組成物中の全ポリエステルのｋｇ当たり約１０〜３００ミリ当量（ＭＥＱ）の総エポキシ官能基を含む。
【手続補正５】
【補正対象書類名】明細書
【補正対象項目名】００７０
【補正方法】変更
【補正の内容】
【００７０】
さらにより好ましくは、エポキシ系は組成物中の全ポリエステルのｋｇ当たり約１５〜２００ミリ当量（ＭＥＱ）の総エポキシ官能基を含む。
【手続補正６】
【補正対象書類名】明細書
【補正対象項目名】００７１
【補正方法】変更
【補正の内容】
【００７１】
さらにより好ましくは、エポキシ系は組成物中の全ポリエステルのｋｇ当たり約２０〜１５０ミリ当量（ＭＥＱ）の総エポキシ官能基を含む。
【手続補正７】
【補正対象書類名】明細書
【補正対象項目名】００７２
【補正方法】変更
【補正の内容】
【００７２】
上の好ましい範囲のいずれに関しても、エポキシ系の第２部分は好ましくは総エポキシ官能基の約１〜約９９％、より好ましくは総エポキシ官能基の約１〜約８０％、より好ましくは総エポキシ官能基の約１〜約６０％、さらにより好ましくは総エポキシ官能基の約１０〜約７５％、最も好ましくは総エポキシ官能基の約２０〜約５０％を提供する。
【手続補正８】
【補正対象書類名】明細書
【補正対象項目名】０１２４
【補正方法】変更
【補正の内容】
【０１２４】
本発明は今のところ好ましい実施形態であると考えられるものに関して記載されてきたか、本発明は開示された実施形態に限定されないことが理解されるべきである。それとは反対に、本発明は、添付の請求項の精神および範囲内に含まれる様々な修正および同等な手筈をカバーすることを意図される。次の請求項の範囲は、すべてのかかる修正ならびに同等の調合物および機能を包含するように最も広い解釈を認められるべきである。
以下に、本発明の好ましい態様を示す。
１．  ポリマー組成物であって、
ポリエステル、
前記組成物の約０．０１〜約５重量パーセントの量のホウ素成分、および
前記ポリエステルのキログラム当たり約５〜５００ミリ当量の総エポキシ官能基を提供するのに十分な量のエポキシ成分
を含むことを特徴とする組成物。
２．  前記ホウ素成分が前記組成物の約０．０５〜約１重量パーセントを構成することを特徴とする１．に記載の組成物。
３．  前記ホウ素成分が前記組成物の約０．１〜０．５重量パーセントを構成することを特徴とする１．に記載の組成物。
４．  前記エポキシ成分が前記ポリエステルのキログラム当たり約１０〜３００ミリ当量の総エポキシ官能基を提供するのに十分な量を構成することを特徴とする１．に記載の組成物。
５．  前記エポキシ成分が前記ポリエステルのキログラム当たり約１５〜２００ミリ当量の総エポキシ官能基を提供するのに十分な量を構成することを特徴とする１．に記載の組成物。
６．  前記エポキシ成分が前記ポリエステルのキログラム当たり約２０〜１５０ミリ当量の総エポキシ官能基を提供するのに十分な量を構成することを特徴とする１．に記載の組成物。
７．  前記エポキシ成分が少なくとも１種のジフェノール・エポキシ縮合ポリマーまたは分子当たり少なくとも２個のエポキシ基を含む少なくとも１種のエポキシ化合物を含むことを特徴とする１．に記載の組成物。
８．  前記ホウ素成分が酸化ホウ素、ホウ酸、ホウ酸塩、または前記いずれかの１種もしくは複数種の任意の混合物を含むことを特徴とする１．に記載の組成物。
９．  前記ホウ素成分が少なくとも１種のホウ酸塩を含むことを特徴とする８．に記載の組成物。
１０．  前記ホウ酸塩がアルカリ金属ホウ酸塩、二価金属ホウ酸塩、または三価金属ホウ酸塩を含むことを特徴とする９．に記載の組成物。
１１．  前記ホウ酸塩がアルカリ金属ホウ酸塩を含むことを特徴とする１０．に記載の組成物。
１２．  前記アルカリ金属ホウ酸塩がホウ酸ナトリウム、ホウ酸リチウム、またはホウ酸カリウムの少なくとも１種を含むことを特徴とする１１．に記載の組成物。
１３．  前記アルカリ金属ホウ酸塩がホウ酸ナトリウムを含み、かつ、前記ホウ酸ナトリウムが四ホウ酸ナトリウムを含むことを特徴とする１２．に記載の組成物。
１４．  前記エポキシ成分が
（ｉ）ジフェノール・エポキシ縮合ポリマー、および
（ｉｉ）少なくとも１種のエポキシ化合物の分子当たり少なくとも２個のエポキシ基を含む少なくとも１種のエポキシ化合物
を含むエポキシ系を含むことを特徴とする１．に記載の組成物。
１５．  前記ポリエステルがグリコールとジカルボン酸もしくはその反応性誘導体との少なくとも１種の線状飽和縮合生成物、またはコポリエーテルエステルを含むことを特徴とする１．に記載の組成物。
１６．  前記ポリエステルがコポリエーテルエステル、およびグリコールとジカルボン酸またはその反応性誘導体との少なくとも１種の線状飽和縮合生成物を含むことを特徴とする１．に記載の組成物。
１７．  前記コポリエーテルエステルが前記線状飽和縮合生成物よりも多い量で存在することを特徴とする１６．に記載の組成物。
１８．  前記ポリエステルがコポリエーテルエステルおよびポリブチレンテレフタレートを含むことを特徴とする１６．に記載の組成物。
１９．  前記ポリエステルがポリブチレンテレフタレートを含むことを特徴とする１．に記載の組成物。